(57)【要約】【課題】埃等の内部への侵入を抑制しつつ、埃等の内部への侵入を抑制することができる設備装置を提供する。【解決手段】設備装置１００は、正面視円形状に形成されたスピーカー９０と、スピーカー９０の前方に、板厚方向を前後方向に向けて配置されたパネル４と、を備え、パネル４には、所定の形状をなすスピーカー領域Ｘが、スピーカー９０と重なるように形成され、スピーカー領域Ｘには、前後方向に貫通する複数のスピーカー孔４７が、正面視円形状に形成されたスピーカー９０と重なるように円形状に形成されるとともに、パネル４の一方の面から他方の面に向かって凹む複数のダミー穴４６が、スピーカー領域Ｘにおけるスピーカー孔４７が形成された領域の外側に形成されていることを特徴とする。【選択図】図２
2019054432.tif 000002
【特許請求の範囲】
【請求項１】
正面視円形状に形成されたスピーカーと、
前記スピーカーの前方に、板厚方向を前後方向に向けて配置されたパネルと、を備え、
該パネルには、所定の形状をなすスピーカー領域が、前記スピーカーと重なるように形成され、
前記スピーカー領域には、
前記前後方向に貫通する複数のスピーカー孔が、前記正面視円形状に形成された前記スピーカーと重なるように形成されるとともに、
前記パネルの一方の面から他方の面に向かって凹む複数のダミー穴が、前記スピーカー領域における前記スピーカー孔が形成された領域の外側に形成されていることを特徴とする設備装置。
【請求項２】
前記スピーカー領域は、前記スピーカーの直径を一辺の長さとするように正面視正方形状に形成され、
前記ダミー穴は、前記正面視正方形状に形成された前記スピーカー領域の前記スピーカー孔が形成されていない四隅部に形成されている請求項１設備装置。
【請求項３】
前記ダミー穴は、前記パネルの前面から後面に向かって凹むように形成されている請求項１または２に記載の設備装置。
【請求項４】
前記パネルは、後面が着色印刷されている請求項１から３のいずれか一項に記載の設備装置。
【発明の詳細な説明】
【技術分野】
【０００１】
本発明は、設備装置に関するものである。
【背景技術】
【０００２】
従来から、トイレには、排泄時の行為音が外部に聞こえてしまうことを防止するために、水洗トイレの流水音や川のせせらぎの音を発生させる擬音装置が設置されている。この擬音装置として、センサー、停止スイッチ及びスピーカー本体等の機能部品がケース内に収容され、ケースの表側（利用者側）にフロントカバーが設けられたものが提案されている。フロントカバーには、センサー及び停止スイッチに対応する位置に貫通孔がそれぞれ形成されていて、フロントカバーがケースに取り付けられた状態で、対応する貫通孔からセンサー及び停止スイッチが露出している。また、フロントカバーには、スピーカー本体と対応する位置に、複数の貫通孔であるスピーカー孔が形成されている（下記の特許文献１参照）。
【先行技術文献】
【特許文献】
【０００３】
【特許文献１】特開２０１２−９０９７１号公報
【発明の概要】
【発明が解決しようとする課題】
【０００４】
しかしながら、上記の擬音装置には、貫通孔であるスピーカー孔から埃や水分等がケース内の機能部品側に入ってしまうという問題点がある。
【０００５】
そこで、本発明は、上記事情に鑑みてなされたものであり、埃等の内部への侵入を抑制することができる設備装置を提供する。
【課題を解決するための手段】
【０００６】
上記目的を達成するために、本発明は以下の手段を採用している。
すなわち、本発明に係る設備装置は、正面視円形状に形成されたスピーカーと、前記スピーカーの前方に、板厚方向を前後方向に向けて配置されたパネルと、を備え、該パネルには、所定の形状をなすスピーカー領域が、前記スピーカーと重なるように形成され、前記スピーカー領域には、前記前後方向に貫通する複数のスピーカー孔が、前記正面視円形状に形成された前記スピーカーと重なるように形成されるとともに、前記パネルの一方の面から他方の面に向かって凹む複数のダミー穴が、前記スピーカー領域における前記スピーカー孔が形成された領域の外側に形成されていることを特徴とする。
【０００７】
このように構成された設備装置では、スピーカーの前方に配置されたパネルには、所定の形状をなすスピーカー領域におけるスピーカー孔が形成された領域の外側に、スピーカー孔（貫通孔）が形成されず、パネルの一方の面から他方の面に向かって凹む複数のダミー穴が形成されている。よって、当該ダミー穴から埃等が内部へ侵入することなく、埃等の内部への侵入を抑制することができる。
【０００８】
また、本発明に係る設備装置では、前記スピーカー領域は、前記スピーカーの直径を一辺の長さとするように正面視正方形状に形成され、前記ダミー穴は、前記正面視正方形状に形成された前記スピーカー領域の前記スピーカー孔が形成されていない四隅部に形成されていることが好ましい。
【０００９】
このように構成された設備装置では、ダミー穴は正面視正方形状に形成されたスピーカー領域の四隅部に形成されるだけであるため、ダミー穴の数が少なく、ダミー穴の加工の手間を削減することができる。
【００１０】
また、本発明に係る設備装置では、前記ダミー穴は、前記パネルの前面から後面に向かって凹むように形成されていてもよい。
【００１１】
このように構成された設備装置では、ダミー穴はパネルの前面から後面に向かって凹むように形成されている。よって、ダミー穴はパネルの前面から凹んでいるため、ダミー穴は前後方向に貫通しているスピーカー孔に近い外観を呈することができる。
【００１２】
また、本発明に係る設備装置では、前記パネルは、後面が着色印刷されていてもよい。
【００１３】
このように構成された設備装置では、パネルは後面が着色印刷されているため、前面から印刷面が剥がれることが抑制される。
【発明の効果】
【００１４】
本発明に係る設備装置によれば、埃等の内部への侵入を抑制することができる。
【図面の簡単な説明】
【００１５】
【図１】本発明の一実施形態に係る擬音装置を斜め前方から見た斜視図である。
【図２】本発明の一実施形態に係る擬音装置の分解斜視図であり、斜め前方から見た図である。
【図３】本発明の一実施形態に係る擬音装置の分解斜視図であり、斜め後方から見た図である。
【図４】図１のＡ−Ａ線断面図である。
【図５】本発明の一実施形態に係る擬音装置の正面図である。
【図６】本発明の一実施形態に係る擬音装置のパネルの断面図であり、図５のＢ−Ｂ線断面図に相当する図である。
【図７】本発明の一実施形態の変形例１に係る擬音装置の一部分の正面図である。
【図８】本発明の一実施形態の変形例２に係る擬音装置の一部分の正面図である。
【発明を実施するための形態】
【００１６】
以下、本発明の一実施形態に係る設備装置の一例として、擬音装置を図１から図４に基づいて説明する。
図１は、本発明の一実施形態に係る擬音装置を前方から見た斜視図である。
図１に示す擬音装置１００は、擬音を発生するための装置である。擬音装置１００は、トイレの壁（不図示）等にブラケットＢ（図２参照）を介して取り付けられている。
なお、以下の説明において、擬音装置１００に対向する利用者側を前方と称し、利用者と反対側（壁側）を後方と称し、これら前方と後方とを結ぶ方向を前後方向と称する。また、利用者から見て左側を左側と称し、利用者から見て右側を右側と称し、これら左側と右側とを結ぶ方向を左右方向と称する。
【００１７】
図２は、擬音装置１００の分解斜視図であり、斜め前方から見た図である。図３は、擬音装置１００の分解斜視図であり、斜め後方から見た図である。なお、図２及び図３には、擬音装置１００を壁に取り付けるためのブラケットＢも合わせて示している。
図２及び図３に示すように、擬音装置１００は、ロアケース１と、アッパーケース２と、フロントパネル（パネル）４と、を有している。
【００１８】
図２に示すように、ロアケース１は、後部ケース本体１０を有している。後部ケース本体１０は、正面視（前方から見て）矩形状に形成され、板厚方向を前後方向に向けた後板部１１を有している。
【００１９】
後板部１１の外縁部には、前方に向かって立設された後部側壁部１２が設けられている。後部側壁部１２は、後板部１１の外縁部の全周にわたって設けられている。
【００２０】
図４は、図１のＡ−Ａ線断面図である。
図４に示すように、後部側壁部１２の前端部の外縁側には、後方に凹む段部１２ａが形成されている。段部１２ａは、後部側壁部１２の全周に形成されている。
【００２１】
図２に示すように、後板部１１には、前方に突出する固定筒状部１６が設けられている。固定筒状部１６は、前後方向を軸線方向とし、円筒状をなしている。後板部１１から固定筒状部１６に連通して、前後方向に貫通する貫通孔１６ｈが形成されている。固定筒状部１６は、後板部１１の四隅及び上部における左右方向の略中央に設けられている。
【００２２】
後板部１１には、前方に突出する係止筒状部１７が設けられている。係止筒状部１７は、前後方向を軸線方向とし、上下方向に長い筒状をなしている。後板部１１から係止筒状部１７に連通して、前後方向に貫通する貫通孔１７ｈが形成されている。係止筒状部１７は、後板部１１の四隅近傍に設けられている。詳細には、係止筒状部１７は、後板部１１の上部の隅部の固定筒状部１６よりも僅かに下方及び後板部１１の下部の隅部の固定筒状部１６よりも僅かに上方に設けられている。係止筒状部１７には、ブラケットＢの係止片ｂ１が係止可能とされている。
【００２３】
図３に示すように、後板部１１の下部には、電線引き込み開口１１ｈが形成されている。電線引き込み開口１１ｈには、後述するＶＶＦケーブルｃ１が挿通可能とされている。電線引き込み開口１１ｈには、後板部１１の後面から開閉自在な電源カバー１１ｋが設けられている。
【００２４】
後板部１１において、電線引き込み開口１１ｈよりも上方には、スイッチ用開口１１ｊが形成されている。スイッチ用開口１１ｊには、後板部１１の後面から開閉自在なスイッチカバー１１ｍが設けられている。
【００２５】
図２に示すように、アッパーケース２は、前部ケース本体２０を有している。前部ケース本体２０は、正面視矩形状に形成され、板厚方向を前後方向に向けた前板部２１を有している。
【００２６】
図２から図４に示すように、前板部２１は、ロアケース１の後板部１１の前方に配置されている。前板部２１とロアケース１の後板部１１との間は、後述する作動ランプ５０、センサーユニット６０、スピーカーユニット９０、第一基板５１、第二基板５２、端子ユニット８０及びスイッチ７０等を収容可能な収容空間Ｓとされている。
【００２７】
図２に示すように、前板部２１の前面２１ｆの上下方向の中間部には、上壁部２２及び下壁部２３が形成されている。上壁部２２及び下壁部２３は、前板部２１の前面２１ｆから後方に向かって折曲されている。上壁部２２及び下壁部２３は、前板部２１の左右方向の全長に形成されている。上壁部２２は、下壁部２３よりも上方に配置されている。上壁部２２の後端部と下壁部２３の後端部とは、底壁部２４により接続されている。
【００２８】
これら上壁部２２、下壁部２３及び底壁部２４により、前板部２１の前面２１ｆから後方に凹む嵌合凹部２５が形成されている。嵌合凹部２５は、前板部２１の上下方向の略中央に形成されている。嵌合凹部２５は、前板部２１の左右方向全長にわたって形成されている。嵌合凹部２５は、正面視左右方向に長い矩形状をなしている。
【００２９】
嵌合凹部２５の底壁部２４には、スピーカー取付孔２４ｈ、ランプ取付孔２４ｊ及びセンサー取付孔２４ｋが形成されている。各取付孔２４ｈ，２４ｊ，２４ｋは、前板部２１（底壁部２４）を前後方向に貫通して形成されている。スピーカー取付孔２４ｈ、ランプ取付孔２４ｊ及びセンサー取付孔２４ｋは、正面視で右側から左側に向かってこの順で並んで配置されている。
【００３０】
スピーカー取付孔２４ｈは、正面視略円形状をなしている。スピーカー取付孔２４ｈの中心には、略円形状をなす中央接続部２６が設けられている。中央接続部２６には、上方、下方且つ左方、及び下方且つ右方のそれぞれに延びる接続片部２７が設けられている。３本の接続片部２７における中央接続部２６側と反対側の端部は、嵌合凹部２５の底壁部２４のスピーカー取付孔２４ｈの外縁部に接続されている。
【００３１】
ランプ取付孔２４ｊは、正面視略円形状をなしている。センサー取付孔２４ｋは、正面視矩形状をなしている。
【００３２】
前板部２１の外縁部には、後方に向かって立設された前部側壁部３２が設けられている。前部側壁部３２は、前板部２１の外縁部の全周にわたって設けられている。
【００３３】
図４に示すように、前部側壁部３２の後端部の外縁側には、後方に突出する突出壁部３２ａが形成されている。突出壁部３２ａはロアケース１の後部側壁部１２の段部１２ａに対向配置され、突出壁部３２ａと段部１２ａとは係合されている。これにより、アッパーケース２とロアケース１とは組み付けられ、上下方向及び左右方向の移動が規制されている。
【００３４】
図３に示すように、前板部２１の後面には、後方に突出する固定筒状部３６が設けられている。固定筒状部３６は、前後方向を軸線方向とし、円筒状をなしている。固定筒状部３６には、前後方向に延びる取付穴３６ｈが形成されている。取付穴３６ｈには、雌ネジ（不図示）が形成されている。固定筒状部３６はロアケース１の固定筒状部１６と対応する位置に設けられ、固定筒状部３６の取付穴３６ｈはロアケース１の固定筒状部１６の貫通孔１６ｈと連通している。ロアケース１の固定筒状部１６の貫通孔１６ｈに後方から挿通された螺子１６ｚが、アッパーケース２の固定筒状部３６の取付穴３６ｈに螺合されている。
【００３５】
前板部２１の後面には、後方に突出する係止筒状部３７が設けられている。係止筒状部３７は、前後方向を軸線方向とし、上下方向に長い筒状をなしている。係止筒状部３７には、前後方向に延びる取付穴３７ｈが形成されている。係止筒状部３７はロアケース１の係止筒状部１７と対応する位置に設けられ、係止筒状部３７の取付穴３７ｈはロアケース１の係止筒状部１７の貫通孔１７ｈと連通している。貫通孔１７ｈの上面には、下方に突出する突出片（不図示）が設けられている。貫通孔１７ｈに挿通されたブラケットＢの係止片ｂ１は、突出片に係止されている。詳細には、係止片ｂ１の下部は突出片の下方に配置され、係止片ｂ１の先端部は貫通孔１７ｈから取付穴３７ｈにまたがって突出片の前方に配置されている。
【００３６】
アッパーケース２には、機能部として、作動ランプ５０、第一基板５１、センサーユニット６０、スイッチ７０、第二基板５２、端子ユニット８０及びスピーカーユニット９０が取り付けられている。
【００３７】
作動ランプ５０は、アッパーケース２の後方から、ランプ取付孔２４ｊに設けられている。
【００３８】
第一基板５１は、アッパーケース２の後部に設けられている。第一基板５１の前面には、図２に示すセンサーユニット６０が設けられている。センサーユニット６０は、筐体６１と、筐体６１内に配置された３個の投光素子６６ａ，６６ｂ，６６ｃ及び受光素子６７とを有している。受光素子６７は、投光素子６６ａ，６６ｂ，６６ｃよりも上方に配置されている。センサーユニット６０は、アッパーケース２のセンサー取付孔２４ｋに、投光素子６６ａ，６６ｂ，６６ｃ及び受光素子６７が略前方を向くように配置されている。投光素子６６ａ，６６ｂ，６６ｃから光信号が送信され、光信号が対象物に当たって反射して、受光素子６７が反射信号を受信することにより、センサーユニット６０は対象物の存在の有無を検知している。例えば、投光素子６６ａ，６６ｂ，６６ｃとして発光ＬＥＤ等を採用することができ、受光素子６７として受光ＩＣ等を採用することができる。
【００３９】
投光素子６６ａ，６６ｂ，６６ｃのうち、正面視で最も右側に配置された（操作情報４１に最も近い）投光素子６６ａは、操作情報４１の前方に向かって（前方に向かうにしたがって次第に右側に向かう方向に）光信号を送信して、操作情報４１の前方にかざされた手等を検知（指向）可能である。また、正面視で真ん中に配置された投光素子６６ｂ及び正面視で最も左側に配置された投光素子６６ｃは、それぞれ前方及び前方に向かうにしたがって次第に左側に向かう方向に向かって光信号を送信して、センサーユニット６０の前方にいる利用者を検知可能である。
【００４０】
図３に示すように、第一基板５１の後面には、スピーカーユニット９０から出力される擬音の音量等を調節可能なスイッチ７０が設けられている。スイッチ７０は、ロアケース１のスイッチ用開口１１ｊ内に配置されている。
【００４１】
第二基板５２は、アッパーケース２の後部に設けられている。第二基板５２の後面には、ＶＶＦケーブルｃ１が接続された端子ユニット８０が設けられている。端子ユニット８０は、ロアケース１の電線引き込み開口１１ｈ内に配置されている。
【００４２】
スピーカーユニット（スピーカー）９０は、アッパーケース２の後部に設けられている。スピーカーユニット９０は、正面視円形状に形成されている。スピーカーユニット９０の前面は、黒色をなしている。スピーカーユニット９０は、スピーカー本体９１と、スピーカー取付部９２と、を有している。スピーカー取付部９２は、図２に示すアッパーケース２のスピーカー孔４７に設けられた中央接続部２６及び接続片部２７に対応した形状をなしている。スピーカー本体９１は、アッパーケース２の後面とスピーカー取付部９２との間に挟み込まれている。スピーカー取付部９２は、アッパーケース２の前板部２１の後面から後方に突設された固定片２８に螺合されている。スピーカーユニット９０は、アッパーケース２に形成されたスピーカー取付孔２４ｈの位置に対応して、後方に配置されている。
【００４３】
センサーユニット６０が対象物の存在を検知すると、センサーユニット６０の受光素子６７からの検知信号が不図示の制御部に送信される。制御部は、検知信号を受信すると、スピーカーユニット９０に出力信号を送信する。スピーカーユニット９０は出力信号を受信すると、擬音を出力し、所定時間経過後に擬音は停止する。また、擬音の出力中に、センサーユニット６０が対象物の存在を検知すると、センサーユニット６０からの検知信号が不図示の制御部に送信される。制御部は、検知信号を受信すると、スピーカーユニット９０に停止信号を送信する。スピーカーユニット９０は停止信号を受信すると、擬音の出力を停止する。
【００４４】
図１に示すように、フロントパネル４は、アッパーケース２の嵌合凹部（前面）２５に沿って、嵌合凹部２５に沿う左右方向にわたって配置されている。フロントパネル４は、板状をなし、正面視矩形状に形成され、板厚方向を前後方向に向けて配置されている。フロントパネル４は、アッパーケース２の嵌合凹部２５と対応した形状をなしている。換言すると、フロントパネル４の上下方向の長さは、嵌合凹部２５の上壁部２２から下壁部２３までの長さと略同一である。フロントパネル４の左右方向の長さは、嵌合凹部２５の左右方向の長さ（アッパーケース２の前板部２１の左右方向の長さ）と略同一である。フロントパネル４の厚みは、嵌合凹部２５の深さ（前後方向の長さ）と略同一である。
【００４５】
図４に示すように、フロントパネル４は、嵌合凹部２５に嵌合されている。本実施形態では、フロントパネル４は、後面に貼着された両面テープ（不図示）により、アッパーケース２の嵌合凹部２５の底壁部２４に取り付けられている。
【００４６】
フロントパネル４の前面４ｆは、アッパーケース２の前面２１ｆと略同一平面上に配置されている。詳細には、フロントパネル４の前面４ｆは、アッパーケース２の前面２１ｆよりも僅かに後方に配置されている。
【００４７】
図２に示すように、フロントパネル４の左右方向の略中央には、対象物を所定の位置に案内させる操作情報４１が設けられている。換言すると、図１に示すように、操作情報４１は、正面視でセンサーユニット６０と隣り合いつつ、センサーユニット６０の右側に配置されている。本実施形態では、操作情報４１として、手を示すピクトグラム（絵文字）及び「再生／停止」、「ＰＬＡＹ／ＳＴＯＰ」と記載された文字が示されている。なお、操作情報４１は、ピクトグラムのみ又は文字のみであってもよい。
【００４８】
図２に示すように、フロントパネル４において、操作情報４１の上方には、後述する作動ランプ５０の光が透過可能なランプ透過部４２が設けられている。ランプ透過部４２は、作動ランプ５０と対応する位置に設けられている。
【００４９】
図５は、擬音装置１００の正面図である。
図５に示すように、フロントパネル４の右側には、スピーカー孔４７及びダミー穴４６が、上下方向に間隔を有して配置された列をなすととともに、当該列が左右方向に間隔を有して複数列配置されている。全体として、正面視略矩形となるように配列され、スピーカー領域Ｘが形成されている。スピーカー領域Ｘは、正面視でスピーカーユニット９０と重なる位置に形成されている。スピーカー領域Ｘは、正面視円形状をなすスピーカーユニット９０の直径を一辺の長さとするように正面視正方形状に形成されている。
【００５０】
スピーカー領域Ｘのうち、四隅に、複数のダミー穴４６が形成されている。
図６は、フロントパネル４の断面図であり、図５のＢ−Ｂ線断面図に相当する図である。
図６に示すように、ダミー穴４６は、フロントパネル４の板厚方向に貫通されていない穴である。ダミー穴４６は、正面視円形状をなしている（図５参照）。ダミー穴４６は、フロントパネル４の前面４ｆから後面４ｂに向かって凹む形状をなしている。ダミー穴４６の凹みの深さ（前後方向の長さ）は、フロントパネル４の板厚の半分よりも浅い（短い）。
【００５１】
図５に示すように、スピーカー領域Ｘのうち、ダミー穴４６以外の箇所に、板厚方向に貫通された複数のスピーカー孔４７が形成されている。換言すると、スピーカー孔４７が複数形成されることで、全体として正面視でスピーカーユニット９０と重なった円形状をなしている。スピーカー孔４７は、アッパーケース２のスピーカー取付孔２４ｈと対応した位置に形成されている。
【００５２】
スピーカー孔４７は、正面視円形状をなしている。図６に示すように、スピーカー孔４７は、フロントパネル４の前面４ｆから後面４ｂに向かうにしたがって次第に径が大きくなるように形成されている。本実施形態では、スピーカー孔４７をフロントパネル４の後面４ｂから型抜きして、ダミー穴４６をフロントパネル４の前面４ｆから型抜きして形成されている。
【００５３】
図２に示すように、フロントパネル４の左側は、後述するセンサーユニット６０の投光素子６６ａ，６６ｂ，６６ｃが拡散可能なセンサー領域Ｙとされている。センサー領域Ｙは、センサーユニット６０と対応する位置に設けられている。
【００５４】
図３に示すように、フロントパネル４のセンサー領域Ｙの後面４ｂには、投光素子６６ａ，６６ｂ，６６ｃと受光素子６７との間の高さ位置に、溝部４ｊが形成されている。溝部４ｊは、後面４ｂから前方に凹むとともに、左右方向に延びている。溝部４ｊは、前方に向かうにしたがって次第に上下方向の長さが短くなるように形成されている。この溝部４ｊがあることで、投光素子６６ａ，６６ｂ，６６ｃからの迷光を遮断て、投光素子６６ａ，６６ｂ，６６ｃからの光が受光素子６７に直接入り込まないようになっている。
【００５５】
本実施形態では、フロントパネル４は、透明のアクリル樹脂で成型された後、センサー領域Ｙに溝部４ｊを形成する。次いで、フロントパネル４の後面４ｂから操作情報４１を印刷する。次いで、センサー領域Ｙ及びランプ透過部４２をマスキングして、後面４ｂから黒色印刷をする（溝部４ｊにも黒色印刷する）。次いで、ランプ透過部４２に、後面４ｂから光を拡散させる印刷をする。次いで、センサー領域Ｙの後面４ｂに、可視光カットのフィルター（不図示）を設けている。
【００５６】
次に、上記の擬音装置１００の壁への取付方法を説明する。
まず、螺子（不図示）をブラケットＢの取付孔ｂ２（図２参照）に挿通して、壁に螺子止めしておく。壁内のＶＶＦケーブルｃ１をロアケース１の電線引き込み開口１１ｈから引き込み、端子ユニット８０に接続する。電線引き込み開口１１ｈを、電源カバー１１ｋで閉塞する。この際に、スイッチ７０を操作して、擬音の音量等を調整しておく。
【００５７】
次に、螺子１６ｚをロアケース１の固定筒状部１６に挿通して、フロントパネル４が固定されたアッパーケース２の固定筒状部３６に螺合して、アッパーケース２とロアケース１とを一体にしておく。
【００５８】
次に、ブラケットＢの係止片ｂ１を、ロアケース１の係止筒状部１７に係止させる。これにより、擬音装置１００がブラケットＢを介して壁に取り付けられる。
【００５９】
上記の擬音装置１００では、利用者が操作情報４１の前方に手をかざすと、投光素子６６ａから送信された光信号が、手（対象物）に当たって反射して、受光素子６７が反射信号を受信する。受光素子６７は、反射信号に基づいて検知信号を制御部に送信する。制御部は、出力信号をスピーカーユニット９０に送信する。スピーカーユニット９０は、出力信号に基づいて擬音を出力し、所定時間経過後に擬音は停止する。
また、擬音の出力中に、利用者が操作情報４１の前方に手をかざすと、上記と同様に、投光素子６６ａから送信された光信号が手に当たって反射して、受光素子６７が反射信号を受信する。センサーユニット６０は、反射信号に基づいて検知信号を制御部に送信する。制御部は、停止信号をスピーカーユニット９０に送信する。スピーカーユニット９０は、停止信号に基づいて擬音の出力を停止する。
また、制御部は検知信号を受信すると、作動ランプ５０にランプ出力信号を送信する。作動ランプ５０は、ランプ出力信号を受信するとランプを点灯させ、所定時間経過後にランプは消灯する。
【００６０】
このように構成された擬音装置１００では、フロントパネル４において、スピーカー孔４７が形成されていない正方形状の四隅部には、フロントパネル４の前面４ｆから後面４ｂに向かって凹む複数のダミー穴４６が形成されている。よって、当該ダミー穴４６から埃等が内部へ侵入することなく、埃等の内部への侵入を抑制することができる。
【００６１】
また、ダミー穴４６は正面視正方形状に形成されたスピーカー領域Ｘの四隅部に形成されるだけであるため、ダミー穴４６の数が少なく、ダミー穴４６の加工の手間を削減することができる。
【００６２】
また、ダミー穴４６はフロントパネル４の前面４ｆから後面４ｂに向かって凹むように形成されている。よって、ダミー穴４６はフロントパネル４の前面から凹んでいるため、ダミー穴４６は前後方向に貫通しているスピーカー孔４７に近い外観を呈することができる。
【００６３】
また、フロントパネル４は後面４ｂが黒色印刷されているため、前面４ｆから印刷面が剥がれることが抑制される。
【００６４】
また、貫通孔であるスピーカー孔４７の後方に配置されるスピーカーユニット９０の前面は、黒色をなしている。このため、前方からスピーカー孔４７を見ると、スピーカーユニット９０の黒色が見える。また、ダミー穴４６は、フロントパネル４の前面４ｆから後面４ｂに凹む形状をなしていて、後面４ｂから黒色に印刷されている。よって、前方からダミー穴４６を見ると、スピーカー孔４７と同様に黒色に見えるため、ダミー穴４６はスピーカー孔４７に近い外観を呈することができる。
【００６５】
また、アッパーケース２、フロントパネル４及びスピーカー領域Ｘは、全て正面視略矩形状をなすため、シャープな外観を呈して、統一感のあるデザインとすることができる。
【００６６】
（変形例１）
次に、本発明の変形例１について、主に図７を用いて説明する。
なお、以下の説明において、前述した部材と同一の部材には同一の符号を付して、その説明を省略する。
図７は、本発明の一実施形態の変形例１に係る擬音装置の一部分の正面図である。
図７に示すように、本変形例１では、スピーカー領域Ｘ１は、正面視長方形状をなすように形成されている。スピーカー領域Ｘ１は、正面視円形状をなすスピーカーユニット９０の直径を短辺の長さとするように形成されている。スピーカー孔４７は、上記に示す実施形態と同一の範囲、つまり、正面視でスピーカーユニット９０の範囲に形成されている。ダミー穴４６は、スピーカー領域Ｘ１のうち、スピーカー孔４７が形成された領域（正面視円形状）の外側に形成されている。ダミー穴４６は、正面視でスピーカーユニット９０の右側及び左側に形成されている。
【００６７】
このように構成された擬音装置では、スピーカー領域Ｘ１におけるスピーカー孔４７が形成された領域（スピーカーユニット９０と重なっている部分）の外側には、フロントパネル４の前面４ｆから後面４ｂに向かって凹む複数のダミー穴４６が形成されている。よって、当該ダミー穴４６から埃等が内部へ侵入することなく、埃等の内部への侵入を抑制することができる。
【００６８】
（変形例２）
図８は、本発明の一実施形態の変形例２に係る擬音装置の一部分の正面図である。
図８に示すように、本変形例２では、スピーカー領域Ｘ２は、正面視楕円形状をなすように形成されている。スピーカー領域Ｘ２は、正面視円形状をなすスピーカーユニット９０の直径を短軸の長さとするように形成されている。スピーカー孔４７は、上記に示す実施形態と同一の範囲、つまり、正面視でスピーカーユニット９０の範囲に形成されている。ダミー穴４６は、スピーカー領域Ｘ２のうち、スピーカー孔４７が形成された領域（正面視円形状）の外側に形成されている。ダミー穴４６は、正面視でスピーカーユニット９０の右側及び左側に形成されている。
【００６９】
このように構成された擬音装置では、スピーカー領域Ｘ２におけるスピーカー孔４７が形成された領域（スピーカーユニット９０と重なっている部分）の外側には、フロントパネル４の前面４ｆから後面４ｂに向かって凹む複数のダミー穴４６が形成されている。よって、当該ダミー穴４６から埃等が内部へ侵入することなく、埃等の内部への侵入を抑制することができる。
【００７０】
例えば、上記に示す実施形態では、設備装置の一例として擬音装置１００を例に挙げて説明したが、本発明はこれに限られず、トイレの洗浄用スイッチ装置等にも適用可能である。
【００７１】
また、上記に示す実施形態では、壁面にブラケットＢが設けられ、ブラケットＢに擬音装置１００が取り付けられ、ＶＶＦケーブルｃ１から動力が供給される形態の擬音装置１００を例に挙げて説明したが、本発明はこれに限られない。壁面にブラケットが設けられ、ブラケットに擬音装置が取り付けられ、擬音装置の内部に設けられた電池から動力が供給される所謂電池式の擬音装置であってもよい。あるいは、壁に設けられた貫通孔に四方枠状に形成されたブラケットが配置され、ブラケットの内部にロアケースが納められた所謂埋め込み式の擬音装置１００であってもよい。
【００７２】
また、上記に示す実施形態では、ダミー穴４６はフロントパネル４の前面４ｆから後面４ｂに向かって凹むように形成されているが、本発明にこれに限られない。ダミー穴は、フロントパネル４の後面４ｂから前面４ｆに凹むように形成されていてもよい。
【００７３】
また、上記に示す実施形態では、フロントパネル４は後面４ｂから黒色印刷されているが、本発明はこれに限られず、フロントパネル４は前面４ｆから黒井ら印刷されていてもよい。
【００７４】
また、上記に示す実施形態、変形例１，２では、スピーカー領域Ｘ，Ｘ１，Ｘ２は、正方形、長方形及び楕円形のいずれかの形状をなしているが、本発明はこれに限られず、形状は適宜設定可能である。また、スピーカーユニット９０がスピーカー領域Ｘ，Ｘ１，Ｘ２よりも十分に小さければ、正面視でピーカーユニット９０の上方や下方にもダミー穴４６が配置されていてもよい。
【符号の説明】
【００７５】
１…ロアケース
２…アッパーケース
４…フロントパネル（パネル）
２５…嵌合凹部
４１…操作情報
４６…ダミー穴
４７…スピーカー孔
５０…作動ランプ
５１…第一基板
５２…第二基板
６０…センサーユニット
６６ａ，６６ｂ，６６ｃ…投光素子
６７…受光素子
７０…スイッチ
８０…端子ユニット
９０…スピーカーユニット（スピーカー）
９１…スピーカー本体
１００…擬音装置（設備装置）
Ｂ…ブラケット
Ｓ…収容空間
Ｘ，Ｘ１，Ｘ２…スピーカー領域
Ｙ…センサー領域
【図１】
2019054432.tif 000003
【図２】
2019054432.tif 000004
【図３】
2019054432.tif 000005
【図４】
2019054432.tif 000006
【図５】
2019054432.tif 000007
【図６】
2019054432.tif 000008
【図７】
2019054432.tif 000009
【図８】
2019054432.tif 000010